(57)【要約】【課題】様々な種類の物品に対応可能であり、物品を安定してテーブル等に固定することが可能な物品固定用吸盤を提供することを目的とする。【解決手段】第１の吸盤と第２の吸盤を背中合わせに設け、第１の吸盤と第２の吸盤の個数あるいは形状を異なるものとする。【選択図】  図１
2009066181.tif 000002
【特許請求の範囲】
【請求項１】
第１の吸盤と第２の吸盤を背中合わせに設けた物品固定用吸盤であって、第１の吸盤と第２の吸盤は、個数あるいは形状が異なることを特徴とする物品固定用吸盤。
【請求項２】
上記第１の吸盤は環状吸盤であり、上記第２の吸盤はドーム状吸盤であることを特徴とする物品固定用吸盤。
【請求項３】
上記第１の吸盤である環状吸盤の中央に膜が設けられ、上記第２の吸盤であるドーム状の吸盤の中央部が平坦であり、上記環状吸盤の中央の膜が上記ドーム状吸盤の平坦な中央部を形成し、上記環状吸盤の一部と、上記ドーム状吸盤の平坦な中央部以外の一部が一体に形成されていることを特徴とする請求項２に記載の物品固定用吸盤。
【請求項４】
上記環状吸盤の中央の膜の一部が上記ドーム状吸盤の平坦な中央部を形成することを特徴とする請求項２に記載の物品固定用吸盤。
【請求項５】
上記第１の吸盤である環状吸盤の中央が開口となっており、１つの上記環状吸盤の背面に第２の吸盤である上記ドーム状吸盤が複数設けられていることを特徴とする請求項２に記載の物品固定用吸盤。
【請求項６】
上記第１の吸盤は１つのドーム状吸盤であり、上記第２の吸盤は上記第１の吸盤よりも小さい複数のドーム状吸盤であることを特徴とする請求項１に記載の物品固定用吸盤。
【請求項７】
上記第１の吸盤及び上記第２の吸盤の曲線部分の一部が一体に形成されていることを特徴とする請求項６に記載の物品固定用吸盤。
【請求項８】
上記第１の吸盤および／または上記第２の吸盤の縁に取っ手を設けることを特徴とする請求項１から７のいずれか１項に記載の物品固定用吸盤。
【発明の詳細な説明】
【技術分野】
【０００１】
本発明は、物品を固定する吸盤に関し、お皿やおわん等の食器をテーブル等に固定するため、または、その他の物品をテーブルや床あるいは壁に固定するために用いる物品固定用吸盤に関する。
【背景技術】
【０００２】
吸盤を用いて物品を固定するものとして様々なものが用いられている。例えば、幼児や、体の不自由な人、または介護が必要な老人等が、食事をする際に、食器をそのままテーブルに固定せずに置いていると、食事中に食器が動いて、食器を倒して食べ物をこぼしたり、食器をテーブルから落としてしまうという問題を解消するために、吸盤を用いて食器をテーブルに固定するものが用いられている。
【０００３】
このような食器をテーブルに固定するための吸盤の一例として、特開平１１−３３６７３９に開示されているような、２つの吸盤を背中合わせに設けて、食器をテーブルに吸盤で固定する両面吸盤がある。
【０００４】
また、特開平９−２８５４０に開示されているような、吸盤とおわん係合部とを背中合わせに設け、おわんを上記おわん係合部で固定し、吸盤でテーブルに固定するおわん係合部付き吸盤がある。
【特許文献１】特開平１１−３３６７３９公報
【特許文献２】特開平９−２８５４０公報
【発明の開示】
【発明が解決しようとする課題】
【０００５】
しかし、上述のような従来の吸盤を用いた方法では、いくつかの問題点があった。例えば、吸盤を背中合わせに設けた両面吸盤は、２つの吸盤を背中合わせに設けているので、吸盤２個分の高さが必要であり、さらに吸盤の間に柱状のものがあるためより高くなり、食器を固定していても不安定になるという問題があった。
【０００６】
また、上述のような、おわん係合部を用いたものでは、使用する食器の形状と上記おわん係合部の形状が一致しないと使用できないので、専用の食器が必要となり、どのような食器にも簡単に使用することができないという問題があった。
【０００７】
また、上述のようなものは、その形状から用途が限定されており、食器をテーブルに固定するためにしか用いることができず、その他の物品に流用できるようなものではなかった。
【０００８】
そこで、本発明はこのような従来の吸盤を用いて物品を固定する方法よりも、広範囲の用途に対応可能であり、また安定して物品が固定できる物品固定用吸盤を提供することを目的とする。
【課題を解決するための手段】
【０００９】
本発明の物品固定用吸盤は、第１の吸盤と第２の吸盤を背中合わせに設けた物品固定用吸盤であって、第１の吸盤と第２の吸盤は、個数あるいは形状が異なることを特徴とする。
【００１０】
上記第１の吸盤は環状吸盤であり、上記第２の吸盤はドーム状吸盤であることが好ましい。
【００１１】
上記第１の吸盤である環状吸盤の中央に膜が設けられ、上記第２の吸盤であるドーム状の吸盤の中央部が平坦であり、上記環状吸盤の中央の膜が上記ドーム状吸盤の平坦な中央部を形成し、上記環状吸盤の一部と、上記ドーム状吸盤の平坦な中央部以外の一部が一体に形成されていることが好ましい。
【００１２】
上記環状吸盤の中央の膜の一部が上記ドーム状吸盤の平坦な中央部を形成することが好ましい。
【００１３】
上記第１の吸盤である環状吸盤の中央が開口となっており、１つの上記環状吸盤の背面に第２の吸盤である上記ドーム状吸盤が複数設けられていることが好ましい。
【００１４】
あるいは、上記第１の吸盤は１つのドーム状吸盤であり、上記第２の吸盤は上記第１の吸盤よりも小さい複数のドーム状吸盤であることが好ましい。
【００１５】
上記第１の吸盤及び上記第２の吸盤の曲線部分の一部が一体に形成されていることが好ましい。
【００１６】
さらに、上記第１の吸盤および／または上記第２の吸盤の縁に取っ手を設けることが好ましい。
【発明の効果】
【００１７】
本発明の物品固定用吸盤は、第１の吸盤と第２の吸盤を背中合わせに設けた物品固定用吸盤であって、第１の吸盤と第２の吸盤は、個数あるいは形状が異なることにより、様々な用途に使用することができる。
【００１８】
上記第１の吸盤は環状吸盤であり、上記第２の吸盤はドーム状吸盤であることにより、穴や開口がある壁等にも物品を固定することが可能となる。
【００１９】
上記第１の吸盤である環状吸盤の中央に膜が設けられ、上記第２の吸盤であるドーム状の吸盤の中央部が平坦であり、上記環状吸盤の中央の膜が上記ドーム状吸盤の平坦な中央部を形成し、上記環状吸盤の一部と、上記ドーム状吸盤の平坦な中央部以外の一部が一体に形成されていることにより、全体の高さを吸盤１個分の高さに抑えることが可能となり、大きな物品も安定してテーブル等に固定することが可能となる。
【００２０】
上記環状吸盤の中央の膜の一部が上記ドーム状吸盤の平坦な中央部を形成することにより、上記ドーム状吸盤を小さく、上記環状吸盤を大きくできるので、底面が小さい物品にも用いることが可能となり、さらに安定して固定することもできる。
【００２１】
上記第１の吸盤である環状吸盤の中央が開口となっており、１つの上記環状吸盤の背面に第２の吸盤である上記ドーム状吸盤が複数設けられていることにより、固定する場所に穴等がある場合でも、物品を固定することが可能となる。
【００２２】
あるいは、上記第１の吸盤は１つのドーム状吸盤であり、上記第２の吸盤は上記第１の吸盤よりも小さい複数のドーム状吸盤であることにより、１つの物品固定用吸盤で、複数の物品を同時に固定することが可能となる。
【００２３】
上記第１の吸盤及び上記第２の吸盤の曲線部分の一部が一体に形成されていることにより、全体の高さを吸盤１個分の高さに抑えることが可能となり、大きな物品も安定してテーブル等に固定することが可能であり、さらに複数の物品を同時に固定することも可能である。
【００２４】
さらに、上記第１の吸盤および／または上記第２の吸盤の縁に取っ手を設けることにより、各吸盤を容易に取り外すことが可能となる。
【発明を実施するための最良の形態】
【００２５】
本発明を、図を用いて以下に詳細に説明する。まず初めに、第１の実施形態の物品固定用吸盤１について説明する。図１が第１の実施形態の物品固定用吸盤１の斜視図であり、図２が第１の実施形態の物品固定用吸盤１の断面図である。
【００２６】
第１の実施形態の物品固定用吸盤１は、第１の吸盤として環状吸盤２を用い、第２の吸盤としてドーム状吸盤３を用いる。そして、上記第１の吸盤である環状吸盤２と上記第２の吸盤であるドーム状吸盤３を背中合わせに設けたものである。
【００２７】
そして、上記環状吸盤２の中央には膜７が設けられ、さらに外側にフランジ４が設けられている。一方、上記ドーム状吸盤３は、中央部が平坦なドーム形状となっている。
【００２８】
また、上記膜７が上記ドーム状吸盤３の平坦な中央部を形成し、上記環状吸盤２の内側の一部と、上記ドーム状吸盤３の平坦な中央部以外の一部が一体に形成されている。このように、上記環状吸盤２の一部と上記ドーム状吸盤３の一部が一体形成されることにより、本発明の物品固定用吸盤１は、吸盤１個分の高さで納まるようになり、従来の単に吸盤を２個背中合わせにしたものよりも高さを低くすることができ、より安定して物品を固定することが可能となっている。
【００２９】
さらに、図１に示すように上記フランジ４および上記ドーム状吸盤３の縁に取っ手５，６を設けている。上記取っ手５，６により、物品を固定した状態の物品固定用吸盤１を、固定している物から容易に取り外すことが可能となる。
【００３０】
本発明の物品固定用吸盤１の材質については特に限定するものでは無く、従来の吸盤に用いられているような材質を用いることが可能である。例えば、軟質塩ビ、ゴム、エラストマー等が用いられる。
【００３１】
本発明の物品固定用吸盤１の使用方法について説明する。本発明の物品固定用吸盤１を使用する際に、特に上下方向を限定するものではないので、使用する物品に応じて適宜選択することができる。ここでは、食器に使用する場合について説明する。
【００３２】
上記物品固定用吸盤１を、使用する食器に合わせて、上記環状吸盤２と上記ドーム状吸盤３のどちらかを、食器の底に吸着させて使用する。ここでは、図２の断面図に示すように、上記ドーム状吸盤３を上に、上記環状吸盤２を下にして、上記ドーム状吸盤３を食器８の底面に吸着させて使用する方法について説明する。
【００３３】
まず初めに、本発明の物品固定用吸盤１の上記環状吸盤２をテーブル９に吸着させて固定する。次に、上記食器８の底面を上記ドーム状吸盤３に乗せて、上記食器８を上記物品固定用吸盤１に押し付けて、上記ドーム状吸盤３を上記食器８の底面に吸着させる。
【００３４】
その結果、図３に示すような状態となり、本発明の物品固定用吸盤１により、上記食器８が上記テーブル９に固定される。このように、本発明の物品固定用吸盤１は、環状吸盤２とドーム状吸盤３を背中合わせに設けたことにより、従来よりも高さを低くすることができ安定して食器を固定することが可能であり、さらに、専用の食器を必要としないので、今まで使用していた食器にも対応可能であり、さらに食器以外の他の様々な物品に使用可能である。
【００３５】
上記物品固定用吸盤１を取り外すには、上記取っ手５，６を用いる。まず初めに、取っ手５を用いて、上記環状吸盤２を上記テーブル９から取り外す。次に、取っ手６を用いて、上記ドーム状吸盤３を上記食器８から取り外し、上記物品固定用吸盤１が完全に取り外される。このようにして、取っ手５，６を設けることにより、上記物品固定用吸盤１をより簡単に取り外すことが可能となる。
【００３６】
本発明の物品固定用吸盤１の使用方法について説明してきたが、上記物品固定用吸盤１を使用する際の上下方向、あるいは、吸盤による上記食器８および上記テーブル９への固定順序あるいは取り外し順序については、ここで説明したものに限定するものではなく、使用者が適宜使い勝手の良い向きや順番を選択することが可能である。
【００３７】
また、上記物品固定用吸盤１全体の大きさ、あるいは上記環状吸盤２および上記ドーム状吸盤３の大きさは適宜決めることが可能であるので、使用する物品の大きさや形状に合わせて、様々な大きさの上記物品固定用吸盤１を用意することができるので、食器に使用する場合でも、今まで使用していた食器を新たに買い換えることなく、様々な食器に使用することが可能である。
【００３８】
そして、本発明の物品固定用吸盤１，１’を食器に用いることにより、幼児や高齢者、体の不自由な人が食事をする時、あるいは、船舶内での食事の際に、より簡単に、そしてより安全に食器を使用することが可能となる。
【００３９】
次に、第２の実施形態について説明する。第２の実施形態の物品固定用吸盤１’は、第１の実施形態の物品固定用吸盤１と同様に、環状吸盤２とドーム状吸盤３を背中合わせに設けたものである。
【００４０】
そして、上記環状吸盤２には、中央に膜７が、そして外側にフランジ４が設けられており、上記中央の膜７の中心付近に上記ドーム状吸盤３が設けられた構造となっている。上記ドーム状吸盤３の平坦な中央部が上記中央の膜７の一部と一体に形成されており、上記ドーム状吸盤３の平坦な中央部以外の部分は、上記環状吸盤２とは別体になっている。
【００４１】
第１の実施形態の物品固定用吸盤１では、環状吸盤２とドーム状吸盤３の一部が一体形成されているので、互いの大きさを独立して決めることができなかったが、第２の実施形態の物品固定用吸盤１’は、上述のような構造により、上記ドーム状吸盤３の大きさを、上記環状吸盤２の大きさに関係なく小さくしたり、逆に上記環状吸盤３を大きくすることが可能となる。
【００４２】
これにより、固定する物品の底面が小さい場合には、上記環状吸盤２を大きくし、上記ドーム状吸盤２を上記環状吸盤２の大きさに関係なく小さくすることができるので、テーブルや壁への固定を大きい環状吸盤２で行い、物品との固定を小さいドーム状吸盤３で行うことにより、底面が小さな物品も安定して固定することが可能となる。
【００４３】
第２の実施形態の物品固定用吸盤１’の材質についても、第１の実施形態の物品固定用吸盤１と同様に、特に限定するものではない。また、使用方法についても、第１の実施形態の物品固定用吸盤１と同様の方法で、物品をテーブル等に固定することができるが、特に上下方向や固定および取り外しの順番は限定するものではない。
【００４４】
続いて、第３の実施形態の物品固定用吸盤１”について説明する。図５が第３の実施形態の物品固定用吸盤１”の斜視図である。
【００４５】
図５に示すように、本実施形態の物品固定用吸盤１”は、第１，２の実施形態と同様に、環状吸盤とドーム状吸盤を組み合わせたものであるが、本実施形態では第１の吸盤である環状吸盤２’の中央が開口となっており、さらに、第２の吸盤であるドーム状吸盤３’が上記環状吸盤２’の背面に複数設けられている。
【００４６】
本実施形態では、４個のドーム状吸盤３’が等間隔で、上記環状吸盤２’の背面に配置さている。個数については特に４個に限定するものではなく、固定する物品、あるいは固定する場所に応じて適宜変更することが可能である。
【００４７】
また、上記環状吸盤２’には第１，２の実施形態と同様に、フランジ４が設けられ、上記フランジ４には取っ手５が設けられている。上記取っ手５により、上記環状吸盤２’の取り外しを簡単に行うことが出来る。
【００４８】
本実施形態の物品固定用吸盤１”は中央が開口となっているので、壁等に穴が開いているような所にも用いることが可能であり、穴を隠すこともできるので、従来の吸盤を用いたものより、様々な用途に使用可能である。
【００４９】
次に、第４の実施形態の物品固定用吸盤１０について説明する。図６が第４の実施形態の物品固定用吸盤１０の斜視図である。
【００５０】
図６に示すように、本実施形態の物品固定用吸盤１０は、１つの大きなドーム状吸盤１１を第１の吸盤とし、上記ドーム状吸盤１１よりも小さいドーム状吸盤１２を第２の吸盤としている。
【００５１】
そして、上記ドーム状吸盤１１の中央に平坦な中央部を設け、上記平坦な中央部の背面に、上記ドーム状吸盤１２を複数配置している。本実施形態では、１０個の上記ドーム状吸盤１２を配置している。
【００５２】
個数は特に限定するものではなく複数であればよく、また、本実施形態では１０個の上記ドーム状吸盤１２を全て同じ大きさとしているが、異なる大きさの吸盤を組み合わせることも可能である。
【００５３】
そして、上記ドーム状吸盤１１の外周にはフランジ４を設け、さらに上記フランジ１３に取っ手１４を設けている。上記取っ手１４により上記ドーム状吸盤１１の取り外しを簡単に行うことが出来る。
【００５４】
また、本実施形態の物品固定用吸盤１０の使用方法としては、他の実施形態で説明したように、１つの物品をより確実にテーブルや壁等に固定することもできるが、複数のドーム状吸盤１２を設けることにより、複数の物品を同時に固定することも可能となる。
【００５５】
さらに、第５の実施形態の物品固定用吸盤１０’について説明する。図７が第５の実施形態の物品固定用吸盤１０’の図であり、（ａ）が斜視図、（ｂ）が断面図である。
【００５６】
上記物品固定用吸盤１０’は、第４の実施形態の物品固定用吸盤１０と同様に、１つのドーム状吸盤と複数のドーム状吸盤を組み合わせたものである。
【００５７】
図７に示すように、本実施形態の物品固定用吸盤１０’は、第１の吸盤である１つのドーム状吸盤１１’の背面に、第２の吸盤となるドーム状吸盤１２’が３つ配置されている。
【００５８】
３つの上記ドーム状吸盤１２’は同心円状に等間隔で配置されており、その円の中心に上記ドーム状吸盤１１’がある。そして、図７（ｂ）に示すように、上記ドーム状吸盤１１’の曲線部分の一部と、上記ドーム状吸盤１２’の一部が一体に形成されている。
【００５９】
本実施形態では上記ドーム状吸盤１２’を３つにしているが、複数であれば個数は特に限定するものではなく、また、互いの曲線部分が一体であれば、同心円状の配置に限定するものでもない。上記ドーム状吸盤１２’の大きさも全て同じにする必要も無く、異なる大きさに設定することも可能である。
【００６０】
本実施形態では、断面図を見るとわかるように、２つの吸盤を背中合わせに配置した場合に比べ、高さを低くすることが可能であり、より安定して物品を固定することができる。また、複数のドーム状吸盤１２’を配置することにより、複数の物品を固定することも可能である。
【００６１】
このように、本発明では、様々な形状および個数の吸盤を組み合わせることにより、様々な物品をより安定して固定することが可能であり、また、様々な用途に対応可能となっている。
【図面の簡単な説明】
【００６２】
【図１】本発明の第１の実施形態の物品固定用吸盤の斜視図である。
【図２】本発明の第１の実施形態の物品固定用吸盤の断面図である。
【図３】本発明の第１の実施形態の物品固定用吸盤を用いて食器をテーブルに固定した状態を示す断面図である。
【図４】本発明の第２の実施形態の物品固定用吸盤の斜視図である。
【図５】本発明の第３の実施形態の物品固定用吸盤の斜視図である。
【図６】本発明の第４の実施形態の物品固定用吸盤の斜視図である。
【図７】（ａ）が本発明の第５の実施形態の物品固定用吸盤の斜視図であり、（ｂ）が、（ａ）におけるＡ−Ａ線の断面図である。
【符号の説明】
【００６３】
１、１’、１’”物品固定用吸盤
２、２’      環状吸盤
３、３’      ドーム状吸盤
４            フランジ
５，６        取っ手
７            膜
８            食器
９            テーブル
１０、１０’  物品固定用吸盤
１１、１１’  ドーム状吸盤
１２、１２’  ドーム状吸盤
１３          フランジ
１４          取っ手
【図１】
2009066181.tif 000003
【図２】
2009066181.tif 000004
【図３】
2009066181.tif 000005
【図４】
2009066181.tif 000006
【図５】
2009066181.tif 000007
【図６】
2009066181.tif 000008
【図７】
2009066181.tif 000009